(57)【要約】【課題】無線通信端末装置において、外部機器とのインタフェースを、無線通信の通信状態に応じて制御可能とする。【解決手段】無線通信手段２１は、無線通信ネットワークとの間でデータの送受信を行う。接続インタフェース２３は、接続された外部機器３０との間でデータの送受信を行う。接続インタフェース２３は、相互に異なる複数の動作速度で動作可能に構成されている。制御手段２２は、無線通信手段２１が無線通信ネットワークから受信したデータの外部機器３０への送信、及び接続インタフェース２３が外部機器３０から受信したデータの無線通信ネットワークへの送信の少なくとも一方を制御する。制御手段２２は、更に、接続インタフェース２３の動作速度を無線通信手段２１の通信状況に応じて制御する。【選択図】図１
2019186639.tif 000002
【特許請求の範囲】
【請求項１】
無線通信ネットワークとの間でデータの送受信を行う無線通信手段と、
外部機器が接続され、前記外部機器との間でデータの送受信を行う接続インタフェースと、
前記無線通信手段が前記無線通信ネットワークから受信したデータの前記外部機器への送信、及び前記接続インタフェースが前記外部機器から受信したデータの前記無線通信ネットワークへの送信の少なくとも一方を制御する制御手段とを備え、
前記接続インタフェースは、相互に異なる複数の動作速度で動作可能に構成され、
前記制御手段は、更に、前記接続インタフェースの動作速度を前記無線通信手段の通信状況に応じて制御する無線通信端末装置。
【請求項２】
前記接続インタフェースは、第１のインタフェースと、動作速度が前記第１のインタフェースよりも低速な第２のインタフェースとを含み、
前記制御手段は、前記通信状況に応じて、前記第１のインタフェース又は前記第２のインタフェースを、前記外部機器との間のデータの送受信に使用されるインタフェースとして選択する請求項１に記載の無線通信端末装置。
【請求項３】
前記制御手段は、前記無線通信手段が受信する受信無線信号の電界強度を取得し、該取得した電界強度がしきい値以上の場合は前記第１のインタフェースを選択し、前記取得した電界強度がしきい値よりも低い場合は前記第２のインタフェースを選択する請求項２に記載の無線通信端末装置。
【請求項４】
前記制御手段は、前記無線通信ネットワークの通信速度を取得し、該取得した通信速度がしきい値以上の場合は前記第１のインタフェースを選択し、前記取得した電界強度がしきい値よりも低い場合は前記第２のインタフェースを選択する請求項２に記載の無線通信端末装置。
【請求項５】
前記接続インタフェースが、前記外部機器と無線ＬＡＮ（Local Area Network）通信を行うＷＬＡＮ（Wireless LAN）通信手段を更に含み、
前記ＷＬＡＮ通信手段は、前記第１のインタフェース及び前記第２のインタフェースを介して制御手段に接続される請求項２から４何れか１項に記載の無線通信端末装置。
【請求項６】
前記接続インタフェースは、相互に異なる複数のデータ転送速度で前記外部機器と通信が可能に構成されており、
前記制御手段は、前記通信状況に応じて、前記データ転送速度を制御する請求項１に記載の無線通信端末装置。
【請求項７】
前記接続インタフェースは、データ転送速度が相互に異なる２つのＵＳＢ（Universal Serial Bus）通信規格に従って前記外部機器と通信するＵＳＢインタフェースを含み、
前記制御手段は、前記通信状況に応じて、前記外部機器との間のデータの送受信に用いられるＵＳＢ通信規格を選択する請求項６に記載の無線通信端末装置。
【請求項８】
無線通信端末装置と、
前記無線通信端末装置に接続される外部機器とを備え、
前記無線通信端末装置は、
無線通信ネットワークとの間でデータの送受信を行う無線通信手段と、
前記外部機器との間でデータの送受信を行う接続インタフェースと、
前記無線通信手段が前記無線通信ネットワークから受信したデータの前記外部機器への送信、及び前記接続インタフェースが前記外部機器から受信したデータの前記無線通信ネットワークへの送信の少なくとも一方を制御する制御手段とを有し、
前記接続インタフェースは、相互に異なる複数の動作速度で動作可能に構成され、
前記制御手段は、更に、前記接続インタフェースの動作速度を前記無線通信手段の通信状況に応じて制御する無線通信システム。
【請求項９】
無線通信ネットワークとの間でデータの送受信を行う無線通信手段と、外部機器との間でデータの送受信を行う接続インタフェースとを有し、前記接続インタフェースは相互に異なる複数の動作速度で動作可能に構成されている無線通信端末装置の制御方法であって、
前記接続インタフェースの動作速度を前記無線通信手段の通信状況に応じて制御し、
前記無線通信手段が前記無線通信ネットワークから受信したデータの前記外部機器への送信、及び前記接続インタフェースが前記外部機器から受信したデータの前記無線通信ネットワークへの送信の少なくとも一方を実施する無線通信端末装置の制御方法。
【請求項１０】
無線通信ネットワークとの間でデータの送受信を行う無線通信手段と、外部機器との間でデータの送受信を行う接続インタフェースとを有し、前記接続インタフェースは相互に異なる複数の動作速度で動作可能に構成されている無線通信端末装置を制御する処理をプロセッサに実行させるためのプログラムであって、前記プロセッサに、
前記接続インタフェースの動作速度を前記無線通信手段の通信状況に応じて制御し、
前記無線通信手段が前記無線通信ネットワークから受信したデータの前記外部機器への送信、及び前記接続インタフェースが前記外部機器から受信したデータの前記無線通信ネットワークへの送信の少なくとも一方を実施する処理を実行させるためのプログラム。
【発明の詳細な説明】
【技術分野】
【０００１】
本開示は、無線通信端末装置及び無線通信システムに関し、更に詳しくは、接続された外部機器との間でデータの送受信を行う無線通信端末装置、及びそのような無線通信端末装置を含む無線通信システムに関する。
【０００２】
また、本開示は、上記無線通信端末装置の制御方法及びプログラムに関する。
【背景技術】
【０００３】
無線通信端末装置において、無線通信の高速化に伴い、無線通信端末装置内のＣＰＵ（Central Processing Unit）、及び外部機器との接続インタフェースの動作周波数も高周波数化している。接続インタフェースの動作周波数、又はその高調波が、無線通信端末が使用する回線周波数に含まれる場合には、無線通信に干渉が発生し、通信可能エリアが縮小する可能性がある。
【０００４】
上記に関連して、特許文献１は、無線機共存の軽減、及び電磁干渉(ＥＭＩ：Electro Magnetic Interference)の削減など、モバイルワイヤレスデバイスに関連する状態を改善するために、インタフェースを動的に選択することを開示する。特許文献１において、モバイルワイヤレスデバイスホストは、周辺デバイスとモバイルワイヤレスデバイスホストとの間のデータ交換のために構成されている複数のハードウェアインタフェースを有する。モバイルワイヤレスデバイスホストにおいて、周辺デバイスとモバイルワイヤレスデバイスホストとの間の通信を可能にするために、ハードウェアインタフェースの１つが動的に選択される。
【０００５】
特許文献１において、上記ハードウェアインタフェースの動的な選択は、ポリシに基づいて実施され得る。ポリシは、モバイルワイヤレスデバイスホスト上で実行されるように構成された１つ又は複数のアプリケーション、顧客仕様書、正規機器メーカ、プロトコル、これまでの使用履歴、及び測定規準に基づく。測定規準は、ハードウェアインタフェースにおける消費電力、スループット、待機時間、ジッタ、干渉、及び無線機の共存、及び／又は、モバイルワイヤレスデバイスホスト内の電磁干渉を含む。
【先行技術文献】
【特許文献】
【０００６】
【特許文献１】特表２０１６−５１３９０５号公報
【発明の概要】
【発明が解決しようとする課題】
【０００７】
しかしながら、特許文献１において、ハードウェアインタフェースは、モバイルワイヤレスデバイスホストが実施する無線通信の通信状態に応じて選択されていない。例えば、特許文献１において、受信電界強度が低い場合に、高速なハードウェアインタフェースが選択されると、無線通信に干渉が生じ、通信可能エリアが縮小する可能性がある。接続インタフェースから放射される動作周波数及び高調波成分を低減するために、フィルタなどの回路対策や金属シールドの実施などの構造対策を行うことが一般的であるが、その場合、対策コスト装置サイズなどが増加する。
【０００８】
本開示は、上記事情に鑑み、外部機器とのインタフェースを、無線通信の通信状態に応じて制御可能な無線通信端末装置、無線通信システム、制御方法、及びプログラムを提供することを目的とする。
【課題を解決するための手段】
【０００９】
上記目的を達成するために、本開示は、無線通信ネットワークとの間でデータの送受信を行う無線通信手段と、外部機器が接続され、前記外部機器との間でデータの送受信を行う接続インタフェースと、前記無線通信手段が前記無線通信ネットワークから受信したデータの前記外部機器への送信、及び前記接続インタフェースが前記外部機器から受信したデータの前記無線通信ネットワークへの送信の少なくとも一方を制御する制御手段とを備え、前記接続インタフェースは、相互に異なる複数の動作速度で動作可能に構成され、前記制御手段は、更に、前記接続インタフェースの動作速度を前記無線通信手段の通信状況に応じて制御する無線通信端末装置を提供する。
【００１０】
本開示は、また、無線通信端末装置と、前記無線通信端末装置に接続される外部機器とを備え、前記無線通信端末装置は、無線通信ネットワークとの間でデータの送受信を行う無線通信手段と、前記外部機器との間でデータの送受信を行う接続インタフェースと、前記無線通信手段が前記無線通信ネットワークから受信したデータの前記外部機器への送信、及び前記接続インタフェースが前記外部機器から受信したデータの前記無線通信ネットワークへの送信の少なくとも一方を制御する制御手段とを有し、前記接続インタフェースは、相互に異なる複数の動作速度で動作可能に構成され、前記制御手段は、更に、前記接続インタフェースの動作速度を前記無線通信手段の通信状況に応じて制御する無線通信システムを提供する。
【００１１】
本開示は、さらに、無線通信ネットワークとの間でデータの送受信を行う無線通信手段と、外部機器との間でデータの送受信を行う接続インタフェースとを有し、前記接続インタフェースは相互に異なる複数の動作速度で動作可能に構成されている無線通信端末装置の制御方法であって、前記接続インタフェースの動作速度を前記無線通信手段の通信状況に応じて制御し、前記無線通信手段が前記無線通信ネットワークから受信したデータの前記外部機器への送信、及び前記接続インタフェースが前記外部機器から受信したデータの前記無線通信ネットワークへの送信の少なくとも一方を実施する無線通信端末装置の制御方法を提供する。
【００１２】
本開示は、無線通信ネットワークとの間でデータの送受信を行う無線通信手段と、外部機器との間でデータの送受信を行う接続インタフェースとを有し、前記接続インタフェースは相互に異なる複数の動作速度で動作可能に構成されている無線通信端末装置を制御する処理をプロセッサに実行させるためのプログラムであって、前記プロセッサに、前記接続インタフェースの動作速度を前記無線通信手段の通信状況に応じて制御し、前記無線通信手段が前記無線通信ネットワークから受信したデータの前記外部機器への送信、及び前記接続インタフェースが前記外部機器から受信したデータの前記無線通信ネットワークへの送信の少なくとも一方を実施する処理を実行させるためのプログラムを提供する。
【発明の効果】
【００１３】
本開示に係る無線通信端末装置、無線通信システム、制御方法、及びプログラムは、外部機器とのインタフェースを、無線通信の通信状態に応じて制御することができる。
【図面の簡単な説明】
【００１４】
【図１】本開示に係る無線通信システムの概略的な構成を示すブロック図。
【図２】本開示の第１実施形態に係る無線通信システムを示すブロック図。
【図３】無線通信端末装置におけるインタフェース選択の動作手順を示すフローチャート。
【図４】受信電界レベルとＬＴＥ通信における通信速度との関係を示す図。
【図５】本開示の第２実施形態に係る無線通信システムを示すブロック図。
【図６】第２実施形態に係る無線通信端末装置におけるインタフェース選択の動作手順を示すフローチャート。
【発明を実施するための形態】
【００１５】
実施の形態の説明に先立って、本開示の概要を説明する。図１は、本開示の概略的な無線通信システムを示す。無線通信システム１０は、無線通信端末装置２０と外部機器３０とを有する。無線通信端末装置２０は、無線通信手段２１、制御手段２２、及び接続インタフェース２３を有する。
【００１６】
無線通信手段２１は、無線通信ネットワークとの間でデータの送受信を行う。接続インタフェース２３は、外部機器３０が接続されるインタフェースであり、接続された外部機器３０との間でデータの送受信を行う。接続インタフェース２３は、相互に異なる複数の動作速度で動作可能に構成される。
【００１７】
制御手段２２は、無線通信手段２１が無線通信ネットワークから受信したデータの外部機器３０への送信、及び接続インタフェース２３が外部機器３０から受信したデータの無線通信ネットワークへの送信の少なくとも一方を制御する。また、制御手段２２は、接続インタフェース２３の動作速度を無線通信手段２１における無線通信ネットワークの通信状況に応じて制御する。
【００１８】
本開示では、制御手段２２は、接続インタフェース２３の動作速度を無線通信ネットワークの通信状況に応じて制御する。このようにすることで、外部機器３０との接続インタフェース２３を、無線通信端末装置２０が実施する無線通信の通信状態に応じて制御することができる。例えば、無線通信ネットワークにおける受信電界強度が低い場合に、接続インタフェース２３を低速で動作させることで、不要なノイズ放射を抑え、無線通信への干渉を抑えることができる。また、無線通信ネットワークにおける受信電界強度が高い場合は、接続インタフェース２３を高速で動作させることで、外部機器３０との間の高速なデータ転送を実現できる。
【００１９】
以下、図面を参照しつつ、本開示の実施の形態を詳細に説明する。図２は、本開示の第１実施形態に係る無線通信システムを示す。無線通信システム１００は、無線通信端末装置１０１、及び外部機器１０２を有する。無線通信端末装置１０１は図１の無線通信端末装置２０に対応し、外部機器１０２は図１の外部機器３０に対応する。
【００２０】
無線通信端末装置１０１は、例えばネットワーク側との通信機能として、ＬＴＥ（Long Term Evolution）通信機能などの既存の通信機能を有する。また、無線通信端末装置１０１及び外部機器１０２は、無線ＬＡＮ（Local Area Network）通信機能を有しており、無線ＬＡＮを通じて相互に通信する。外部機器１０２は、例えばスマートフォンやパーソナルコンピュータなどの機器として構成される。無線通信端末装置１０１は、例えば外部機器１０２がＬＴＥ網などの無線通信ネットワークへアクセスすることを可能とするＬＴＥルータなどの通信機器として構成される。
【００２１】
無線通信端末装置１０１は、送信部１１１、受信部１１２、制御部１１３、記憶部１１４、及びＷＬＡＮ部１１５を有する。外部機器１０２は、制御部１２１、及びＷＬＡＮ部１２２を有する。無線通信端末装置１０１の送信部１１１は、アンテナ１１０を介して、ＷＡＮ（Wide Area Network）などの無線通信ネットワークに、データなどを含む無線通信信号を送信する。受信部１１２は、アンテナをして、無線通信ネットワークからデータなどを含む無線通信信号を受信する。送信部１１１及び受信部１１２は、図１の無線通信手段２１に対応する。
【００２２】
無線通信端末装置１０１のＷＬＡＮ部（ＷＬＡＮ通信手段）１１５は、外部機器１０２と無線ＬＡＮ（ＷＬＡＮ：Wireless ＬＡＮ）通信を行う。外部機器１０２のＷＬＡＮ部１２２は、無線通信端末装置１０１と無線ＬＡＮ通信を行う。制御部１２１は、ＷＬＡＮ部１２２を制御し、ＷＬＡＮ部１２２を通じて無線通信端末装置１０１にデータを送信する。また、制御部１２１は、ＷＬＡＮ部１２２を通じて無線通信端末装置１０１からデータを受信する。
【００２３】
無線通信端末装置１０１において、ＷＬＡＮ部１１５は、複数のインタフェースを通じて制御部１１３に接続される。図２の例では、ＷＬＡＮ部１１５は、第１のインタフェース１１６及び第２のインタフェース１１７を通じて制御部１１３に接続される。第１のインタフェース１１６は、例えばＰＣＩｅ（Peripheral Component Interconnect Express）を含む。第２のインタフェース１１７は、ＵＡＲＴ（Universal Asynchronous Receiver/Transmitter）を含む。第１のインタフェース１１６と第２のインタフェース１１７とは、動作速度が相互に異なる。第２のインタフェース１１７の動作速度は、第１のインタフェース１１６の動作速度よりも低速である。ＷＬＡＮ部１１５、第１のインタフェース１１６、及び第２のインタフェース１１７は、図１の接続インタフェース２３に対応する。
【００２４】
制御部１１３は、無線通信端末装置１０１内の各部を制御する。制御部１１３は、送信部１１１及び受信部１１２を制御する。また、制御部１１３は、第１のインタフェース１１６又は第２のインタフェース１１７を通じてＷＬＡＮ部１１５を制御する。記憶部１１４は、制御部１１３が実施する制御に使用される各種情報などを記憶する。記憶部１１４は、ＲＡＭ（Random Access Memory）やＲＯＭ（Read Only Memory）などの任意のストレージデバイスを含む。制御部１１３は、例えばＣＰＵなどのプロセッサを用いて構成される。制御部１１３は、記憶部１１４からプログラムを読み出し、読み出したプログラムに従って各種処理を実施する。制御部１１３は、図１の制御手段２２に対応する。
【００２５】
制御部１１３は、受信部１１２が無線通信ネットワークから受信したデータの外部機器１０２への送信、及びＷＬＡＮ部１１５が外部機器１０２から受信したデータの無線通信ネットワークへの送信の少なくとも一方を制御する。より詳細には、制御部１１３は、受信部１１２が無線通信ネットワークから受信したデータを、受信部１１２から取得する。制御部１１３は、取得したデータを、第１のインタフェース１１６又は第２のインタフェース１１７を通じてＷＬＡＮ部１１５に出力し、ＷＬＡＮ部１１５から外部機器１０２に向けて送信させる。また、制御部１１３は、ＷＬＡＮ部１１５が外部機器１０２から受信したデータを、第１のインタフェース１１６又は第２のインタフェース１１７を通じて取得する。制御部１１３は、取得したデータを送信部１１１に出力し、送信部１１１から無線通信ネットワークに送信させる。
【００２６】
本実施形態において、制御部１１３は、第１のインタフェース１１６又は第２のインタフェース１１７を、送信部１１１及び受信部１１２における無線通信ネットワークの通信状況に応じて制御する。制御部１１３は、例えば、受信部１１２から、受信部１１２がアンテナ１１０から受信するＬＴＥ電波の受信電界レベルを取得する。制御部１１３は、取得した受信電界レベルを記憶部１１４に記憶する。制御部１１３は、受信電界レベルが所定のしきい値以上であるか否かを判断する。制御部１１３は、受信電界レベルがしきい値以上であると判断した場合は第１のインタフェース１１６を選択する。制御部１１３は、受信電界レベルがしきい値よりも低い場合は第２のインタフェース１１７を選択する。制御部１１３は、受信電界レベルを継続的に取得し、受信電界レベルとしきい値との比較結果に応じたインタフェースの選択（切替え）を繰り返し実施する。
【００２７】
ここで、上記のしきい値は、第１のインタフェース１１６から第２のインタフェース１１７への切替えの場合と、第２のインタフェース１１７から第１のインタフェース１１６への切替えの場合とで、値が異なっていてもよい。例えば、制御部１１３は、現在第１のインタフェース１１６を選択している場合、受信電界レベルと第１のしきい値とを比較し、受信電界レベルが第１のしきい値より低い場合に、使用するインタフェースを第２のインタフェース１１７に切り替えてもよい。制御部１１３は、現在第２のインタフェース１１７を選択している場合は、受信電界レベルと第１のしきい値よりも値が大きい第２のしきい値とを比較してもよい。制御部１１３は、受信電界レベルが第２のしきい値以上の場合に、使用するインタフェースを第１のインタフェース１１６に切り替えてもよい。このようにヒステリシスを設けることで、ハンチングを防止できる。
【００２８】
ユーザは、事前に、記憶部１１４に、通信状況に応じた第１のインタフェース１１６又は第２のインタフェース１１７の選択を実施するか否かを示す情報を記憶しておいてもよい。制御部１１３は、例えば、記憶部１１４に通信状況に応じた選択を実施する旨を示す情報が記憶されている場合は、第１のインタフェース１１６又は第２のインタフェース１１７を、受信電界レベルに応じて制御する。制御部１１３は、記憶部１１４に通信状況に応じた選択を実施しない旨を示す情報が記憶されている場合は、例えば第１のインタフェース１１６を固定的に選択してもよい。
【００２９】
続いて、動作手順を説明する。図３は、無線通信端末装置１０１におけるインタフェース選択の動作手順を示す。無線通信端末装置１０１は、例えば電源が投入されると、ＬＴＥ通信を開始する（ステップＳ１０１）。制御部１１３は、記憶部１１４を参照し、ＬＴＥ通信の通信状況に応じたインタフェースの選択（制御）を実施するか否かを判断する（ステップＳ１０２）。制御部１１３は、記憶部１１４にＬＴＥ通信の通信状況に応じたインタフェースの選択を実施する旨を示す情報が記憶されている場合、インタフェースの選択を実施すると判断する。制御部１１３は、記憶部１１４にＬＴＥ通信の通信状況に応じたインタフェースの選択を実施しない旨を示す情報が記憶されている場合、インタフェースの選択処理を終了する。
【００３０】
制御部１１３は、ステップＳ１０２においてインタフェースの選択を実施すると判断した場合、記憶部１１４からしきい値を取得する（ステップＳ１０３）。記憶部１１４に事前にしきい値が記憶されていない場合、制御部１１３は、ステップＳ１０３においてユーザにしきい値の入力を促し、入力されたしきい値を記憶部１１４に記憶してもよい。
【００３１】
制御部１１３は、アンテナ１１０を介して接続されるＬＴＥ通信における受信電界レベルを取得する。受信部１１２は、ＬＴＥ接続時は常にＬＴＥ電波の状態である受信電界レベルを取得しており、制御部１１３は、受信部１１２からＬＴＥの受信電界レベルを取得できる。制御部１１３は、取得した受信電界レベルとしきい値とを比較し、受信電界レベルがしきい値以上であるか否かを判断する（ステップＳ１０４）。別の言い方をすると、制御部１１３は、ＬＴＥ電波の電波状況が良好であるか否かを判断する。
【００３２】
制御部１１３は、ステップＳ１０４で受信電界レベルがしきい値以上であると判断した場合、制御部１１３とＷＬＡＮ部１１５とを接続するインタフェースとして、高速インタフェースである第１のインタフェース１１６を選択する（ステップＳ１０５）。制御部１１３は、ステップＳ１０４で受信電界レベルがしきい値よりも低いと判断した場合は、制御部１１３とＷＬＡＮ部１１５とを接続するインタフェースとして、低速インタフェースである第２のインタフェース１１７を選択する（ステップＳ１０６）。
【００３３】
その後、処理はステップＳ１０４に戻り、次のサイクルで、受信電界レベルとしきい値とが比較される。ステップＳ１０５で第１のインタフェース１１６が選択されていた場合に、ステップＳ１０４で受信電界レベルがしきい値よりも低いと判断された場合、ステップＳ１０６において、使用されるインタフェースが第２のインタフェース１１７に切り替えられる。ステップＳ１０６で第２のインタフェース１１７が選択されていた場合に、ステップＳ１０４で受信電界レベルがしきい値以上と判断された場合は、ステップＳ１０５において、使用されるインタフェースが第１のインタフェース１１６に切り替えられる。
【００３４】
図４は、受信電界レベルとＬＴＥ通信における通信速度との関係を示す。例えば受信電界レベルが高い場合、ＬＴＥ通信において、下りリンク（ＤＬ：downlink）の通信速度は７００Ｍｂｐｓであり、上りリンク（ＵＬ：uplink）の通信速度は５０Ｍｂｐｓである。これに対し、受信電界レベルが低い場合は、下りリンク（ＤＬ：downlink）の通信速度は１０Ｍｂｐｓであり、上りリンク（ＵＬ：uplink）の通信速度は５Ｍｂｐｓとなる。
【００３５】
制御部１１３は、例えば受信部１１２が受信するＬＴＥ電波の受信電界レベルが低い状況では、第２のインタフェース１１７を選択する。受信電界レベルが低い場合、送信部１１１及び受信部１１２が実施する無線通信ネットワーク側との無線通信の通信速度は低速である。従って、制御部１１３はＷＬＡＮ部１１５と高速通信を行う必要はない。低速な第２のインタフェース１１７を使用することで、制御部１１３とＷＬＡＮ部１１５との間のインタフェースから放射される動作周波数、及びその高調波成分を抑制することができる。この場合、アンテナ１１０の受信感度の劣化を改善することができ、通信断を抑制することが可能となることから、通信可能エリアの縮小を防ぐことができる。
【００３６】
例えば、第１のインタフェース１１６に使用され得るＰＣＩｅは、８００ＭＨｚ／５分周の高速クロックでデータ通信を行う。この動作周波数（分周クロックの周波数）は、ＬＴＥ＿Ｂａｎｄ２６（８００ＭＨｚ帯）の受信周波数に近く、また、分周クロックの高調波はＬＴＥ＿Ｂａｎｄ４２（３．５ＧＨｚ帯）の受信周波数となる。従って、ＰＣＩｅは、ＬＴＥ受信感度の劣化に影響する放射ノイズを発生している。ＬＴＥ通信の通信状況が良好ではなく、受信電界レベルが低い場合に、高速なＰＣＩｅが使用されると、ＬＴＥ受信感度が劣化して通信が維持できない可能性がある。受信電界レベルが低い場合は、高速なＰＣＩｅではなく低速インタフェースであるＵＡＲＴへ切り替え、動作周波数を低周波数化することで、インタフェースから放射される動作周波数及びその高調波成分を低下させることができる。その結果として、ＬＴＥ受信帯域への干渉を抑制することができる。
【００３７】
データ転送速度に関して、高速インタフェースであるＰＣＩｅでは、最大２．５Ｇｂｐｓのデータ通信が可能である。一方、低速インタフェースであるＵＡＲＴ（４本）では、通信速度は２００Ｍｂｐｓ程度となる。制御部１１３とＷＬＡＮ部１１５との間の通信にＵＡＲＴが用いられる場合、制御部１１３とＷＬＡＮ部１１５との間のデータ転送が低速化することで、ＷＬＡＮ部１１５と外部機器１０２との間の無線ＬＡＮ通信におけるデータ通信速度が低下することとなる。しかしながら、図４に示されるように受信電界レベルが低い状況ではＬＴＥ通信速度が低下するため、ＵＡＲＴが使用される場合でも、ＬＴＥ通信の速度帯域を確保可能である。
【００３８】
本実施形態では、制御部１１３は、ＬＴＥ通信の通信状況に応じて、ＷＬＡＮ部１１５との間のインタフェースを、高速な第１のインタフェース１１６と低速な第２のインタフェース１１７との間で切り替える。このようにすることで、外部機器１０２とのインタフェースを、無線通信の通信状態に応じて制御することができる。例えば、無線信号の電界強度に応じて通信速度が変化する無線通信システムを利用する場合であって、受信電界強度が低い場合、制御部１１３は、ＷＬＡＮ部１１５との間のインタフェースにＵＡＲＴを使用する。この場合、ＷＬＡＮ部１１５との間のインタフェースの動作周波数を低周波数化することができ、インタフェースから放射される電磁波の無線通信への干渉を抑制できる。従って、本実施形態では、フィルタなどの回路対策や金属シールド実施などの構造対策を行うことなく、無線通信への干渉を抑制し通信可能エリアの縮小などを抑制できる。
【００３９】
次いで、本開示の第２実施形態を説明する。図５は、本開示の第２実施形態に係る無線通信システムを示す。無線通信システム１００ａは、無線通信端末装置１０１ａと外部機器１０２ａとを有する。本実施形態に係る無線通信システム１００ａは、無線通信端末装置１０１ａと外部機器１０２ａとが、有線ケーブルであるＵＳＢ（Universal Serial Bus）ケーブル１０３で接続される点で、図２に示される第１実施形態に係る無線通信システム１００と相違する。他の点は、実施形態１と同様でよい。
【００４０】
本実施形態において、無線通信端末装置１０１ａは、送信部１１１、受信部１１２、制御部１１３、記憶部１１４、及びＵＳＢインタフェース１１８を有する。外部機器１０２ａは、制御部１２１とＵＳＢインタフェース１２３を有する。本実施形態において、ＵＳＢインタフェース１１８及び１２３は、ＵＳＢケーブル１０３を通じて、相互に異なる複数のデータ転送速度で互いに通信可能に構成されている。ＵＳＢインタフェース１１８及び１２３は、例えばデータ転送速度が相互に異なる２つのＵＳＢ通信規格をサポートする。ＵＳＢインタフェース１１８及び１２３は、図１の接続インタフェース２３に対応する。
【００４１】
以下では、ＵＳＢインタフェース１１８及び１２３は、ＵＳＢ２．０及びＵＳＢ３．０の通信規格をサポートするものとする。ＵＳＢインタフェース１１８は、ＵＳＢデータ通信機能であるＵＳＢ３．０通信の高速動作と、低速動作であるＵＢＳ２．０通信とが切替え可能に構成される。ＵＳＢ３．０通信は下位互換であり、低速なＵＳＢ２．０通信も実施できるため、データ通信ラインとしては同一のＵＳＢケーブル１０３を用いつつ、ＵＳＢインタフェース１１８の動作速度を変更可能である。
【００４２】
本実施形態において、制御部１１３は、ＵＳＢインタフェース１１８の動作速度を、送信部１１１及び受信部１１２における無線通信ネットワークの通信状況に応じて制御する。制御部１１３は、例えば、受信電界レベルがしきい値以上であると判断した場合は、ＵＳＢインタフェース１１８を高速なＵＳＢ３．０通信で動作させる。制御部１１３は、受信電界レベルがしきい値よりも低い場合は、ＵＳＢインタフェース１１８を低速なＵＳＢ２．０通信で動作させる。
【００４３】
図６は、第２実施形態に係る無線通信端末装置１０１ａにおけるインタフェース選択の動作手順を示す。無線通信端末装置１０１ａは、例えば電源が投入されると、ＬＴＥ通信を開始する（ステップＳ２０１）。制御部１１３は、記憶部１１４を参照し、ＬＴＥ通信の通信状況に応じたインタフェースの選択（制御）を実施するか否かを判断する（ステップＳ２０２）。制御部１１３は、記憶部１１４にＬＴＥ通信の通信状況に応じたインタフェースの選択を実施する旨を示す情報が記憶されている場合、インタフェースの選択を実施すると判断する。制御部１１３は、記憶部１１４にＬＴＥ通信の通信状況に応じたインタフェースの選択を実施しない旨を示す情報が記憶されている場合、インタフェースの選択処理を終了する。
【００４４】
制御部１１３は、ステップＳ２０２においてインタフェースの選択を実施すると判断した場合、記憶部１１４からしきい値を取得する（ステップＳ２０３）。制御部１１３は、アンテナ１１０を介して接続されるＬＴＥ通信における受信電界レベルを取得する。制御部１１３は、取得した受信電界レベルとしきい値とを比較し、受信電界レベルがしきい値以上であるか否かを判断する（ステップＳ２０４）。ステップＳ２０１〜Ｓ２０４は、図３のステップＳ１０１〜Ｓ１０４と同様でよい。
【００４５】
制御部１１３は、ステップＳ２０４で受信電界レベルがしきい値以上であると判断した場合、ＵＳＢインタフェース１１８を高速なＵＳＢ３．０通信で動作させる（ステップＳ２０５）。この場合、制御部１１３は、外部機器１０２ａとの間でＵＳＢ３．０通信を実施する。制御部１１３は、ステップＳ２０４で受信電界レベルがしきい値よりも低いと判断した場合は、ＵＳＢインタフェース１１８を低速なＵＳＢ２．０通信で動作させる（ステップＳ２０６）。この場合、制御部１１３は、外部機器１０２ａとの間でＵＳＢ２．０通信を実施する。
【００４６】
その後、処理はステップＳ２０４に戻り、次のサイクルで、受信電界レベルとしきい値とが比較される。ＵＳＢインタフェース１１８の動作がＵＳＢ３．０通信に制御されていた場合に、ステップＳ２０４で受信電界レベルがしきい値よりも低いと判断された場合、ステップＳ２０６において、ＵＳＢインタフェース１１８の動作がＵＳＢ２．０通信に切り替えられる。ＵＳＢインタフェース１１８の動作がＵＳＢ２．０通信に制御されていた場合に、ステップＳ２０４で受信電界レベルがしきい値以上と判断された場合は、ステップＳ２０５において、ＵＳＢインタフェース１１８の動作がＵＳＢ３．０通信に切り替えられる。
【００４７】
ここで、ＵＳＢ３．０通信では、最大５Ｇｂｐｓのデータ転送速度で高速通信が可能である。一方、ＵＳＢ２．０通信では、理論値としては４８０Ｍｂｐｓ、実測値としては８０Ｍｐｂｓ程度のデータ転送速度でデータ通信が行われる。図４を参照すると、受信電界レベルが低い場合のＬＴＥ通信速度は下りリンクが１０Ｍｂｐｓで上りリンクは５Ｍｐｂｓである。このため、ＵＳＢインタフェース１１８がＵＳＢ２．０通信で動作する場合でもＬＴＥ通信の速度帯域を確保可能である。
【００４８】
本実施形態では、制御部１１３は、ＬＴＥ通信の通信状況に応じて、ＵＳＢインタフェース１１８の動作を、ＵＳＢ３．０通信とＵＳＢ２．０通信との間で切り替える。このようにすることで、外部機器１０２とのインタフェースを、無線通信の通信状態に応じて制御することができる。制御部１１３は、例えば受信電界強度が低い場合、ＵＳＢインタフェース１１８をＵＳＢ２．０通信で動作させ、受信電界強度が高い場合は、ＵＳＢインタフェース１１８をＵＳＢ３．０通信で動作させる。受信電界強度が低い場合にＵＳＢ２．０通信で動作させることで、ＵＳＢインタフェース１１８の動作周波数を低周波数化することができ、ＵＳＢインタフェース１１８から放射される電磁波の無線通信への干渉を抑制できる。従って、本実施形態において、第１実施形態と同様に、フィルタなどの回路対策や金属シールド実施などの構造対策を行うことなく、無線通信への干渉を抑制し通信可能エリアの縮小などを抑制できる。
【００４９】
なお、上記各実施形態では、制御部１１３が、通信状況を示す指標として受信電界レベルを取得し、受信電界レベルとしきい値とを比較する例について説明したが、これには限定されない。上記各実施形態において、通信状況を示す指標として、受信電界レベルに代えてＬＴＥ通信の通信速度が用いられてもよい。制御部１１３は、ＬＴＥ接続中は、ＬＴＥ通信の受信電界レベルと同様に、ＬＴＥ通信における通信速度を常に取得可能である。
【００５０】
上記の場合、記憶部１１４には、受信電界レベルのしきい値に代えて、通信速度のしきい値が記憶される。制御部１１３は、取得した通信速度と、記憶部１１４に記憶されたしきい値とを比較する。第１実施形態において、制御部１１３は、通信速度がしきい値以上であれば、高速な第１のインタフェース１１６を選択し、通信速度がしきい値より低速であれば、低速な第２のインタフェース１１７を選択してもよい。また、制御部１１３は、第２実施形態において、通信速度がしきい値以上であれば、高速なＵＳＢ３．０通信を選択し、通信速度がしきい値より低速であれば、低速なＵＳＢ２．０通信を選択してもよい。このように、通信速度状況に応じてインタフェースの切替えを行う場合も、上記各実施形態において説明したものと同様な効果が得られる。
【００５１】
上記各実施形態において、プログラムは、様々なタイプの非一時的なコンピュータ可読媒体を用いて格納され、コンピュータに供給することができる。非一時的なコンピュータ可読媒体は、様々なタイプの実体のある記憶媒体を含む。非一時的なコンピュータ可読媒体の例は、例えばフレキシブルディスク、磁気テープ、又はハードディスクなどの磁気記録媒体、例えば光磁気ディスクなどの光磁気記録媒体、ＣＤ（compact disc）、又はＤＶＤ（digital versatile disk）などの光ディスク媒体、及び、マスクＲＯＭ、ＰＲＯＭ（programmable ROM）、ＥＰＲＯＭ（erasable PROM）、フラッシュＲＯＭ、又はＲＡＭなどの半導体メモリを含む。また、プログラムは、様々なタイプの一時的なコンピュータ可読媒体を用いてコンピュータに供給されてもよい。一時的なコンピュータ可読媒体の例は、電気信号、光信号、及び電磁波を含む。一時的なコンピュータ可読媒体は、電線及び光ファイバなどの有線通信路、又は無線通信路を介して、プログラムをコンピュータに供給できる。
【００５２】
以上、本開示の実施形態を詳細に説明したが、本開示は、上記した実施形態に限定されるものではなく、本開示の趣旨を逸脱しない範囲で上記実施形態に対して変更や修正を加えたものも、本開示に含まれる。
【００５３】
例えば、上記の実施形態の一部又は全部は、以下の付記のようにも記載され得るが、以下には限られない。
【００５４】
［付記１］
無線通信ネットワークとの間でデータの送受信を行う無線通信手段と、
外部機器が接続され、前記外部機器との間でデータの送受信を行う接続インタフェースと、
前記無線通信手段が前記無線通信ネットワークから受信したデータの前記外部機器への送信、及び前記接続インタフェースが前記外部機器から受信したデータの前記無線通信ネットワークへの送信の少なくとも一方を制御する制御手段とを備え、
前記接続インタフェースは、相互に異なる複数の動作速度で動作可能に構成され、
前記制御手段は、更に、前記接続インタフェースの動作速度を前記無線通信手段の通信状況に応じて制御する無線通信端末装置。
【００５５】
［付記２］
前記接続インタフェースは、第１のインタフェースと、動作速度が前記第１のインタフェースよりも低速な第２のインタフェースとを含み、
前記制御手段は、前記通信状況に応じて、前記第１のインタフェース又は前記第２のインタフェースを、前記外部機器との間のデータの送受信に使用されるインタフェースとして選択する付記１に記載の無線通信端末装置。
【００５６】
［付記３］
前記制御手段は、前記無線通信手段が受信する受信無線信号の電界強度を取得し、該取得した電界強度がしきい値以上の場合は前記第１のインタフェースを選択し、前記取得した電界強度がしきい値よりも低い場合は前記第２のインタフェースを選択する付記２に記載の無線通信端末装置。
【００５７】
［付記４］
前記制御手段は、前記無線通信ネットワークの通信速度を取得し、該取得した通信速度がしきい値以上の場合は前記第１のインタフェースを選択し、前記取得した電界強度がしきい値よりも低い場合は前記第２のインタフェースを選択する付記２に記載の無線通信端末装置。
【００５８】
［付記５］
前記接続インタフェースが、前記外部機器と無線ＬＡＮ（Local Area Network）通信を行うＷＬＡＮ（Wireless LAN）通信手段を更に含み、
前記ＷＬＡＮ通信手段は、前記第１のインタフェース及び前記第２のインタフェースを介して制御手段に接続される付記２から４何れか１つに記載の無線通信端末装置。
【００５９】
［付記６］
前記第１のインタフェースはＰＣＩｅ（Peripheral Component Interconnect Express）を含み、前記第２のインタフェースはＵＡＲＴ（Universal Asynchronous Receiver/Transmitter）を含む付記２から５何れか１つに記載の無線通信端末装置。
【００６０】
［付記７］
前記接続インタフェースは、相互に異なる複数のデータ転送速度で前記外部機器と通信が可能に構成されており、
前記制御手段は、前記通信状況に応じて、前記データ転送速度を制御する付記１に記載の無線通信端末装置。
【００６１】
［付記８］
前記接続インタフェースは、データ転送速度が相互に異なる２つのＵＳＢ（Universal Serial Bus）通信規格に従って前記外部機器と通信するＵＳＢインタフェースを含む付記７に記載の無線通信端末装置。
【００６２】
［付記９］
前記制御手段は、前記通信状況に応じて、前記外部機器との間のデータの送受信に用いられるＵＳＢ通信規格を選択する付記８に記載の無線通信端末装置。
【００６３】
［付記１０］
前記ＵＳＢインタフェースは、ＵＳＢ２．０及びＵＳＢ３．０の通信規格に従って前記外部機器と通信が可能に構成される付記８又は９に記載の無線通信端末装置。
【００６４】
［付記１１］
前記無線通信ネットワークはＬＴＥ（Long Term Evolution）網である付記１から９何れか１つに記載の無線通信端末装置。
【００６５】
［付記１２］
無線通信端末装置と、
前記無線通信端末装置に接続される外部機器とを備え、
前記無線通信端末装置は、
無線通信ネットワークとの間でデータの送受信を行う無線通信手段と、
前記外部機器との間でデータの送受信を行う接続インタフェースと、
前記無線通信手段が前記無線通信ネットワークから受信したデータの前記外部機器への送信、及び前記接続インタフェースが前記外部機器から受信したデータの前記無線通信ネットワークへの送信の少なくとも一方を制御する制御手段とを有し、
前記接続インタフェースは、相互に異なる複数の動作速度で動作可能に構成され、
前記制御手段は、更に、前記接続インタフェースの動作速度を前記無線通信手段の通信状況に応じて制御する無線通信システム。
【００６６】
［付記１３］
前記接続インタフェースは、第１のインタフェースと、動作速度が前記第１のインタフェースよりも低速な第２のインタフェースとを含み、
前記制御手段は、前記通信状況に応じて、前記第１のインタフェース又は前記第２のインタフェースを、前記外部機器との間のデータの送受信に使用されるインタフェースとして選択する付記１２に記載の無線通信システム。
【００６７】
［付記１４］
前記接続インタフェースは、相互に異なる複数のデータ転送速度で前記外部機器と通信が可能に構成されており、
前記制御手段は、前記通信状況に応じて、前記データ転送速度を制御する付記１２に記載の無線通信システム。
【００６８】
［付記１５］
無線通信ネットワークとの間でデータの送受信を行う無線通信手段と、外部機器との間でデータの送受信を行う接続インタフェースとを有し、前記接続インタフェースは相互に異なる複数の動作速度で動作可能に構成されている無線通信端末装置の制御方法であって、
前記接続インタフェースの動作速度を前記無線通信手段の通信状況に応じて制御し、
前記無線通信手段が前記無線通信ネットワークから受信したデータの前記外部機器への送信、及び前記接続インタフェースが前記外部機器から受信したデータの前記無線通信ネットワークへの送信の少なくとも一方を実施する無線通信端末装置の制御方法。
【００６９】
［付記１６］
前記接続インタフェースは、第１のインタフェースと、動作速度が前記第１のインタフェースよりも低速な第２のインタフェースとを含み、
前記動作速度の制御では、前記通信状況に応じて、前記第１のインタフェース又は前記第２のインタフェースを、前記外部機器との間のデータの送受信に使用されるインタフェースとして選択する付記１５記載の無線通信端末装置の制御方法。
【００７０】
［付記１７］
前記接続インタフェースは、相互に異なる複数のデータ転送速度で前記外部機器と通信が可能に構成されており、
前記動作速度の制御では、前記通信状況に応じて、前記データ転送速度を制御する付記１５に記載の無線通信端末装置の制御方法。
【００７１】
［付記１８］
無線通信ネットワークとの間でデータの送受信を行う無線通信手段と、外部機器との間でデータの送受信を行う接続インタフェースとを有し、前記接続インタフェースは相互に異なる複数の動作速度で動作可能に構成されている無線通信端末装置を制御する処理をプロセッサに実行させるためのプログラムであって、前記プロセッサに、
前記接続インタフェースの動作速度を前記無線通信手段の通信状況に応じて制御し、
前記無線通信手段が前記無線通信ネットワークから受信したデータの前記外部機器への送信、及び前記接続インタフェースが前記外部機器から受信したデータの前記無線通信ネットワークへの送信の少なくとも一方を実施する処理を実行させるためのプログラム。
【００７２】
［付記１９］
前記接続インタフェースは、第１のインタフェースと、動作速度が前記第１のインタフェースよりも低速な第２のインタフェースとを含み、
前記動作速度の制御では、前記プロセッサに、前記通信状況に応じて、前記第１のインタフェース又は前記第２のインタフェースを、前記外部機器との間のデータの送受信に使用されるインタフェースとして選択させる付記１８に記載のプログラム。
【００７３】
［付記２０］
前記接続インタフェースは、相互に異なる複数のデータ転送速度で前記外部機器と通信が可能に構成されており、
前記動作速度の制御では、前記プロセッサに、前記通信状況に応じて、前記データ転送速度を制御させる付記１８に記載のプログラム。
【符号の説明】
【００７４】
１０：無線通信システム
２０：無線通信端末装置
２１：無線通信手段
２２：制御手段
２３：接続インタフェース
３０：外部機器
１００：無線通信システム
１０１：無線通信端末装置
１０２：外部機器
１０３：ＵＳＢケーブル
１１０：アンテナ
１１１：送信部
１１２：受信部
１１３：制御部
１１４：記憶部
１１５、１２２：ＷＬＡＮ部
１１６、１１７：インタフェース
１１８、１２３：ＵＳＢインタフェース
１２１：制御部
【図１】
2019186639.tif 000003
【図２】
2019186639.tif 000004
【図３】
2019186639.tif 000005
【図４】
2019186639.tif 000006
【図５】
2019186639.tif 000007
【図６】
2019186639.tif 000008